(57)【要約】  本発明はカフェーの中に室内遊び場と飲食店の空間を分離してはあるが、飲食店で室内遊び場が見えるようにして、室内遊び場の内壁には水で絵の具を消すことができる絵の具遊びの空間とチョークで絵を描いたり落書きができる黒板を備えて、飲食店の中でご両親が室内遊び場で遊んでいる子供たちを直接観察、監視できるようにし、子供たちはじっと座って絵を描く静寂な環境で両親の干渉がない、子供たち自ら独立的に皆と混ざりあって思う存分走り回りながら落書きや絵を描く動的な遊びに転換及び誘導できるようにしたドローイングカフェーに関したものであり、  その構成は室内遊び場と飲食店が区画壁により空間が分離され、上記の室内遊び場は内壁一面に水で絵の具を消すことができる絵の具遊びの空間が作られ子供たちが絵を描いたり絵の具で遊べるように構成され、上記の区画壁は上側に窓ガラスを付けて飲食店から室内遊び場が見えるように構成され、上記の区画壁の下側には室内遊び場の他側の内壁(112)を設け、上記の室内遊び場の他側内壁には長さ方向に沿って黒板(114)が備えられ子供たちがチョークで絵を描いたり落書きができるように構成されたものである。
2020507025.tif 000002
【特許請求の範囲】
【請求項１】
室内遊び場(110)と飲食店(120)が区画壁(130)により空間が分離され、上記の室内遊び場(110)は一側内壁(111)に水で絵の具が消せる絵の具遊びの空間(113)が形成され、子供たちが絵を描いたり絵の具で遊べるように構成され、上記の区画壁(130)は上側に窓ガラス(130a)が形成され飲食店(120)から室内遊び場(110)が見えるようにし、上記の区画壁(130)の下の部分には室内遊び場(110)の他側内壁(112)を設け、上記の室内遊び場(110)の他側内壁(112)には長さ方向に沿って黒板(114)が具備され子供たちがチョークでお絵描きや落書きができるように構成されたのが特徴であるドローイングカフェー。
【請求項２】
第１項において、上記の室内遊び場(110)は絵の具遊びの空間(113)の前方上側に水噴射装置(119)をさらに加え、上記の絵の具遊びの空間(113)の前方側に一側内壁(111)の長さ方向に沿って排水口(115)が形成され、上記の排水口(115)の上側にはトレンチ(116)を具備し、上記の絵の具遊びの空間(113)がある一側内壁(111)と排水口(115)の間に第１傾斜面(117a)が形成され上記の室内遊び場(110)の他側内壁(112)と排水口(115)の間に第２傾斜面が形成され、上記の室内遊び場(110)の底面に室内遊び場(110)の長さ方向に沿って凸凹面(118)を形成されたことが特徴であるドローイングカフェー。
【発明の詳細な説明】
【技術分野】
【０００１】
本発明はドローイングカフェーに関するもので、詳しくはカフェーの中に室内遊び場と飲食店の空間を分離してはあるが、飲食店で室内遊び場が見えるようにして、室内遊び場の内壁には水で絵の具を消すことができる絵の具遊びの空間とチョークで絵を描いたり落書きができる黒板を備えて、飲食店の中でご両親が室内遊び場で遊んでいる子供たちを直接観察、監視できるようにし、子供たちはじっと座って絵を描く静寂な環境で両親の干渉がない、子供たち自ら独立的に皆と混ざりあって思う存分走り回りながら落書きや絵を描く動的な遊びに転換及び誘導できるようにしたドローイングカフェーに関したものである。
【背景技術】
【０００２】
周知のごとく子供が満３歳を過ぎたら保育園に送り、同年代の友達と交流し社会性を発達させる必要がある。子供たちは遊びを通して社会性と頭脳が発達するため多くの友達と過ごすと肯定的な成長発達が可能になる。しかし、このような保育園を選択する際には定まった資格を揃えてある専門的な保育士がいるのか、保育士達が子供を配慮しながら世話ができる資質と児童教育に関して十分に理解しているのかを確認する必要がある。又、インスタント食品を提供する所より自然食を中心にしたメニューを構成する所が子供の成長発達にいいので、子供に与える影響を考えた計画的な献立を備えているのかを調べ、子供が長い時間活動する場所であるだけに安全であるのかも調べる必要がある。
【０００３】
一方、キッズカフェ(kidscafe)は、幼い子供がいるお母さん若しくは両親、又は一時的に子供を引き取ってお世話をしている保護者がやむを得ない約束がある際、保護中である子供を約束した場所に連れてきて大人は大人での時間を過ごす一方、子供は子供同士で保護者の見える範囲内で自由に遊べるように室内に遊び場を備えた場所のことで、その一つの例として特許登録第1490293号(2015.02.04.公告.)"キッズカフェテーマ遊び場"が提案されたことがある。
【０００４】
上記のキッズカフェテーマ遊び場は図１及び図２で図示されているように仕切りがある棚(10c)に各種の野菜や果物、そして魚の模型が陳列され、前方の壁面(11")に出入口(10a)が構成され、また出入口(10a)のー側壁面(11")に敷居の高さが建物の底面(a')から40cmの高さに及ぶソファー連絡通路(10b)を備えたスーパーマーケット遊び場(10)が１階に構成され、2階には円滑な風通し及び落下事故の予防のための手すり(11a)と手すり(11a)上部に透明な窓(11b)が備えられ、内外部が透視され壁面(11")に第１水平移動連絡通路(11c)を備えたおもちゃ遊び場(11)が構成され、内部壁面(a)を沿って第１階段(20a)及び第２階段(20b)が構成されている。
【０００５】
又、第１番部屋(30a)、第２番部屋(30b)、第６番部屋(30f)には傾斜上の連絡階段通路を備えた階段通路部屋(30)が、上記1,2階の複層に構成されたスーパーマーケット遊び場(10)とおもちゃ遊び場(11)のー側面に連結され、連絡通路を備えたエアー垂直壁(40b)が第６番部屋(30f)の外部壁面に設置され、連絡通路が第２水平移動連絡通路(36)の位置と一致した状態に繋がり、エアーマットレス(40a)が膨張した時その表面の高さが第6番部屋(30f)の床面の高さと一致し、前方には傾斜上のクッションパネル(40c)を備えたエアバウンスルーム(40)を上記の階段通路部屋(30)の外部に並んで設置される。
【０００６】
そして、衝撃吸収パッド(b)が内部壁面(a)と建物の底面(a')に付着され四角の枠(51)も設置されゴムまり(60)がぎっしり入れられ、出入口(52)を備えた囲いフェンス(51a)を設置したボールプール(50)が上記のエアバウンスルーム(40)を往来できるように並んで繋がっていて、室内壁面(70a)に衝撃吸収パッド(b)が付着され幼児の授乳及び睡眠のためのソファー(73)が具備された子供の遊び場(70)が上記のボールプール(50)の側面に構成され、子供の遊び場(70)全面の外部ー側面には子供の背の高さの洗面台(72)が設置され、内部壁面(a)を沿ってソファー(12)が固定設置され、上記のソファー(12)の高さと平行に一致する高さの敷居を備えたソファー連絡通路(80b)及び出入口(80')を備えた室内壁面(80a)でできた図書部屋(80)が構成され、お茶や飲み物及び注文された食べ物を調理できるようキッチン(90)を具備し、テーブル(101)と椅子(102)でくつろぎの空間(100)に成り立つ。
【０００７】
しかし、このような従来の保育園やキッズカフェは子供たちの遊ぶ空間が両親と完全に独立先行技術文献とはした状態に分離されていないため、自分たちだけの空間の中で子供たちが両親の干渉のない、独立的に皆で遊びながら社会性を育つ方面で落ち度があり、遊びも既に設置された器具に乗って動く程度で字で表現できないことを絵を描いて表現したいと思う子供たちの欲を十分に満足させるのに物足りない点があり、これによって子供たちの社会性や頭脳の発達及び創造性を育つのに困難が多かった。
【先行技術文献】
【特許文献】
【０００８】
(特許文献 0001)特許登録第1490293号(2015.02.04.公告.)"キッズカフェテーマ遊び場"
【発明の概要】
【発明が解決しようとする課題】
【０００９】
故に、本発明は上記のとおり従来の様々な問題点の解消のために創案されたもので、その目的はカフェーの中で室内遊び場や飲食店の空間を分離するものの、飲食店の中で室内遊び場が見えるようにし、室内遊び場の内壁には水で絵の具を消すことができる絵の具遊びの空間とチョークで絵を描いたり落書きができる黒板を備えて、飲食店の中でご両親が室内遊び場で遊んでいる子供たちを直接観察、監視できるようにし、子供たちはじっと座って絵を描く静寂な環境で両親の干渉がない、子供たち自ら独立的に皆と混ざりあって思う存分走り回りながら落書きや絵を描く動的な遊びに転換及び誘導できるようにしたドローイングカフェーの提供である。
【課題を解決するための手段】
【００１０】
このような本発明の目的を達成するための本発明によるドローイングカフェーの形態は、室内遊び場と飲食店が区画壁により空間が分離され、上記の室内遊び場は内壁一面に水で絵の具を消すことができる絵の具遊びの空間が作られ子供たちが絵を描いたり絵の具で遊べるように構成され、上記の区画壁は上側に窓ガラスを付けて飲食店から室内遊び場が見えるように構成され、上記の区画壁の下側には室内遊び場の他側の内壁を設け、上記の室内遊び場の他側内壁には長さ方向に沿って黒板(114)が備えられ子供たちがチョークで絵を描いたり落書きができるような構成が特徴である。
【００１１】
同じく、上記の室内遊び場は絵の具遊びの空間の前方上側に水噴射装置をさらに設けて、上記の絵の具遊びの空間の前方側も一側内壁の長さ方向に沿って排水口が形成され、上記の排水口の上側にはトレンチが具備され、上記の絵の具遊びの空間を持つ一側内壁と排水口の間に第１傾斜面が形成され、また上記の室内遊び場の他側内壁と排水口の間に第２傾斜面が形成され、上記の室内遊び場の底面に室内遊び場の長さ方向に沿って凹凸面が形成されるのが特徴である。
【００１２】
［発明の効果］
上記のとおり、本発明は室内遊び場と飲食店を区画壁で空間を分離し、区画壁の上側を窓ガラスで形成し、飲食店で室内遊び場が見えるようにし、室内遊び場は一側内壁に水で絵の具を消すことができる絵の具遊びの空間を形成し子供が絵の具で絵を描いたり遊べるようにし、区画壁の窓ガラス下側の他側内壁には黒板を具備しチョークで絵を描いたり落書きができるようにすることで飲食店にいるご両親が室内遊び場にいる子供が遊ぶ姿、すなわち子供がどのような絵を描いているのか、他の子供たちと仲良くしているのか、行動の障害や不便さを感じているのではないか等を楽に食事を楽しんで他のご両親たちと会話をしながら観察、監視できるようになっていて、子供たちはじっと座って絵を描いたり静寂な環境で子供たち自ら、両親の干渉のない、独立的にお互い混じりあって思う存分走り回って落書きや絵を描くような、動的な遊びの転換で子供たちが明るく健やかに成長できる助けになり、社会性と頭脳の発達はもちろん創造性を一層高める効果が出るようになる。
【図面の簡単な説明】
【００１３】
【図１】図１は従来のキッズカフェテーマ遊び場の主要部を例示した正面図である。
【図２】図２は従来のキッズカフェテーマ遊び場の配置状態を例示した平面図である。
【図３】図３は本発明によるドローイングカフェーの配置状態を例示した平面図である。
【図４】図４は図３の主要部を表した断面図である。
【００１４】
［発明を実施するための具体的な内容］
以下、添付された図面を参照し、本発明の構成を実施例に従って詳細に説明する。
【００１５】
図３は本発明によるドローイングカフェーの配置状態を例示した平面図であって、ここに図示されているように本発明は子供たちが遊べる室内遊び場(110)と飲食店(120)が区画壁(130)により空間が分離されていて、室内遊び場(110)がキッチン(140)やホール(150)、飲食店(120)の空間より大きい面積を持つ。又、室内遊び場(110)にはトレンチ(116),すなわち排水口のカバーが室内遊び場(110)の一側内壁(111)の長さ方向に沿って前方側に形成される。上記の排水口のカバーは水が下の部分の排水口(未図示)側に流入できるように通孔が形成されるのは当然である。
【００１６】
このように、室内遊び場(110)にトレンチ(116)及び排水口が形成されるのは室内遊び場(110)の一側内壁(111)に子供たちが絵の具で絵を描いた後、水で消せるようにしたもので、室内遊び場(110)の一側内壁(111)には子供たちに絵が描けるように白地を使用しているので、ペンキを塗ったりシートを貼ることができる。そして水拭きで絵を描いたり、室内遊び場(110)の一側内壁(111)の上側の長さ方向に沿ってノズル(未図示)を備えた水噴射装置を設け、必要な時に水噴射装置のノズルから水が噴射され絵の具を消すことができる。このために、室内遊び場(110)の隣接した空間に水タンク室(160)を設けている。又、室内遊び場(110)の他側内壁(112)が、下部には長さ方向に沿って黒板が具備され子供たちがチョークで思う存分お絵描きや落書きができるように構成される。
【００１７】
そして、室内遊び場(110)と飲食店(120)の空間を分ける区画壁(130)はガラス材質で形成される。これによって、飲食店(120)にいる両親が室内遊び場(110)にいる子供たちの遊ぶ姿、すなわち子供がどのような絵を描いているのか、他の子供たちと仲良くしているのか、行動の障害や不便さを感じているのではないか等、飲食店で楽に食べながら他のご両親との会話も楽しみながら観察や監視ができるのである。
【００１８】
通常では、空間分離の機能や目的が異なる建築物の空間をそれぞれ独立的に処理し全体を構成することで、子供たちが絵の具遊びやチョークで黒板に絵を描いたり落書きができるように作った室内遊び場(110)を独立的な空間に分けることによって、じっと座ってお絵描きや落書きができる静寂な環境で子供たちが両親の干渉のない、子供たちだけで混じりあい思う存分走り回りながら壁に落書きや絵を描く、動的な遊びの誘導で子供がより明るくて健やかに成長できるお助けになるのはもちろん社会性の向上や頭脳の発達と創造性を育てるようになる。
【００１９】
通常、満2−4歳の子供たちが描いた落書きや絵も、子供には気持ちを表すよい手段になるという。この時期の子供たちは自我が活発に発達するため、気ままに線を引くような絵で自我を表現するという。自由にできる活動であるだけに情緒的に委縮した子供も思い切り楽しむことができるという。満4歳が過ぎたら子供が説明しなくても何を描いたか分るような絵を描き始め、この時期に絵を通して児童の心理が把握できるという。満5歳以上の子供たちは与えられたテーマに沿った絵が描けるほど発達する。しかしまだ微細運動技能の発達が未熟なため鉛筆のような材料の扱いが下手で完全な形態の絵を描くことも難しがる。この時期は字を絵で表現していると理解すればよく、絵は何かを詳しく見た時お絵描きで表しているため物事に対する洞察力を高めるようになる。満6歳以上の子供たちは様々な材料の適切な活用ができ、自分が表現したいことも豊富になる。そのため自分が描きたい物を積極的に描こうとする意欲が高まる。
【００２０】
図４は図３の主要部を表した断面図で、ここに図示されたように本発明は区画壁(130)により室内遊び場(110)と飲食店(120)の空間が分離される。室内遊び場(110)は一側内壁(111)に絵の具遊びの空間(113)が形成され、絵の具遊びの空間(113)に子供たちが絵を描いたり絵の具で遊べるように構成されることで、絵の具遊びの空間(113)は室内遊び場(110)の一側内壁(111)に水で絵の具が消せる白地のペンキを塗ったりシートを貼るような構成ができる。区画壁(130)は上側に窓ガラス(130a)が形成され、飲食店(120)で室内遊び場(110)が見えるように構成し、下の部分には室内遊び場(110)の他側内壁(112)を含む。他側内壁(112)には長さ方向に沿って黒板(114)が設けられ子供たちがチョークで黒板(114)にお絵描きや落書きができるように構成される。
【００２１】
そして、室内遊び場(110)は絵の具遊びの空間(113)の前方側に一側内壁(111)の長さ方向に沿って排水口(115)が形成され、上記の排水口(115)の上側にはトレンチ(116)、すなわち排水孔を持つ排水口のカバーが設けられる。又、絵の具遊びの空間(113)を備えた一側内壁(111)と排水口(115)の間に第１傾斜面(117a)が形成され、一側内壁(111)と排水口(115)の間の底面に落ちる水が第１傾斜面(117a)に沿って排水口(115)に誘導できるように構成し、黒板(114)がある他側内壁(112)と排水口(115)の間に第２傾斜面(117b)を形成し他側内壁(112)と排水口(115)の間の底面から落ちた水や水気が第２傾斜面(117b)に沿って排水口(115)に誘導できるように構成したものである。又、子供たちが床の水気によって滑って怪我しないように室内遊び場(110)の底面に室内遊び場(110)の長さ方向に沿って凸凹面(118)が形成される。この際、子供たちが転び、固い底面で怪我をしないよう緩衝機能付きの敷物を設けるのはもちろん、敷物は水や水気が室内遊び場(110)の底面から排水され水気が残らないことが望ましいことであろう。
【００２２】
これと共に、室内遊び場(110)は絵の具遊びの空間(113)の前方上側に水噴射装置(119)をさらに加えることで、上記の水噴射装置(119)は絵の具遊びの空間(113)に対応できる長さを持つ水平パイプの形態の水噴射装置(119)に絵の具遊びの空間(113)に向かう多数のノズル(119a)を備え出来たもので、水供給は図１の水タンク室(160)から供給され、スイッチ操作により給水管からの水の供給と遮断が行われる。通常、子供たちは45分間遊び、15分間休憩を取るようにするが、休憩時間に絵の具遊びの空間(113)に水を噴射し窓ガラスを拭く道具などを利用して絵の具遊びの空間(113)を再び綺麗に掃除し、黒板(114)の絵や落書きも消して子供たちが新しく遊べる環境を醸し出すことになる。
【００２３】
このように、本発明は室内遊び場と飲食店を区画壁で空間を分離し、区画壁の上側を窓ガラスで形成して飲食店から室内遊び場が見えるようにし、室内遊び場は一側内壁に水で絵の具が消せる絵の具遊びの空間を形成して子供たちが絵の具で絵を描きながら遊べるようにし、区画壁の窓ガラス下側の他側内壁には黒板を具備しチョークで絵を描いたり落書きができるようにすることで、飲食店にいる両親が室内遊び場にいる子供の遊ぶ姿、すなわち子供がどのような絵を描いているのか、他の子供たちと仲良くしているのか、行動の障害や不便さを感じているのではないか等、飲食店で楽に食べながら他のご両親との会話も楽しみながら観察や監視ができて、子供たちはじっと座ってお絵描きができる静寂な環境で子供自ら、両親の干渉のない、独立的にお互い混じりあい思う存分走り回りながら壁に落書きや絵を描く、動的な遊びの転換で子供たちが明るくて健やかに成長できる助けになり、社会性と頭脳の発達はもちろん創造性も一層高めるようになる。
【００２４】
以上から見た本発明によるドローイングカフェーを具体的に説明したが、これは本発明の最も望ましい実施形態を記載したものであり、本発明がこれに限定されるのではなく、添付された特許請求の範囲によってその範囲が決定したら限定される。又、この技術分野では通常必要とされる知識を有する者なら誰でも本発明の明細書の記載内容による多様な変形及び模倣を行うことはできることや、これも本発明の範囲を外れたことでないことは明らかであるとするものである。
【符号の説明】
【００２５】
110:  室内遊び場            111,112:  一側及び内側内壁
113:  絵の具遊びの空間      114:  黒板
116:  トレンチ              117a,117b:  第1,2 傾斜面 
118:  凸凹面                119:  水噴射装置
119a  :ノズル
120:  飲食店                130:  窓ガラス
140:  キッチン              150:  ホール
160:  水タンク室 
【図１】
2020507025.tif 000003
【図２】
2020507025.tif 000004
【図３】
2020507025.tif 000005
【図４】
2020507025.tif 000006
【国際調査報告】
2020507025.tif 000007
2020507025.tif 000008
2020507025.tif 000009
2020507025.tif 000010